(57)【要約】【課題】熱交換機に用いられる冷却水中のセシウムが濃縮されて高濃度となるのを防ぐことができる冷却塔を提供する。【解決手段】熱交換機に用いる冷却水を冷却するための冷却塔であって、冷却水が貯められた散水槽と、該散水槽から冷却水が散水されて通過する充填材と、該充填材を通過した冷却水を熱交換機へ送り、熱交換された冷却水を前記散水槽へ循環させるためのポンプと、外気を充填材へ送るためのファンとを具備しており、さらに、前記冷却水の中のセシウムを除去するためのセシウム除去フィルターを具備するものである冷却塔。【選択図】図１
2013181677.tif 000002
【特許請求の範囲】
【請求項１】
熱交換機に用いる冷却水を冷却するための冷却塔であって、
冷却水が貯められた散水槽と、該散水槽から冷却水が散水されて通過する充填材と、該充填材を通過した冷却水を熱交換機へ送り、熱交換された冷却水を前記散水槽へ循環させるためのポンプと、外気を充填材へ送るためのファンとを具備しており、
さらに、前記冷却水の中のセシウムを除去するためのセシウム除去フィルターを具備するものであることを特徴とする冷却塔。
【請求項２】
前記セシウム除去フィルターは、前記散水槽内および／または前記充填材よりも下流側に配設されたものであることを特徴とする請求項１に記載の冷却塔。
【請求項３】
前記冷却塔は、前記充填材を通過する冷却水と前記充填材に送られる外気の流れが直交する直交流型のものであるか、または、前記冷却水と前記外気の流れが逆方向である向流型のものであることを特徴とする請求項１または請求項２に記載の冷却塔。
【請求項４】
前記直交流型の冷却塔においては、前記充填材よりも下流側のセシウム除去フィルターは、前記ファンにより送られる外気の流れに対して充填材よりも下流側に配設されたものであることを特徴とする請求項３に記載の冷却塔。
【請求項５】
前記向流型の冷却塔においては、前記充填材よりも下流側のセシウム除去フィルターは、前記充填材を通過する冷却水の流れに対して充填材よりも下流側に配設されたものであることを特徴とする請求項３に記載の冷却塔。
【発明の詳細な説明】
【技術分野】
【０００１】
本発明は、熱交換機に用いられる冷却水を冷却するための冷却塔に関する。
【背景技術】
【０００２】
冷却塔は、例えばビル等の屋上に、空調に用いられる熱交換機の冷却水を冷却するために用いられている。例えば、特許文献１のようなものが挙げられる（特許文献１）。
この冷却塔はクーリングタワーとも呼ばれている。
【先行技術文献】
【特許文献】
【０００３】
【特許文献１】特開平６−２５７９８８号公報
【発明の概要】
【発明が解決しようとする課題】
【０００４】
この冷却塔は、冷却塔内に配置された充填材に、空調のために用いられて温まった冷却水を散水するとともに、充填材に外気を送り、一部の冷却水を蒸発させ、温度を下げた後、再度空調に用いられる。
【０００５】
ここで、本発明者らがこの冷却塔について鋭意調査を行った。
上記のように冷却塔において、冷却水は外気と接するため、外気中に存在する不純物が冷却水中に取り込まれ、冷却水が汚染される上、使用期間が長くなると濃縮され、不純物濃度が高くなる。また、充填材にもその不純物が蓄積されてしまう。
【０００６】
さらに、外気を取り入れるためのガラリやファン、あるいは外部に開放された部位等から、その不純物濃度が高い冷却水が飛散してしまう。冷却塔はビル等の屋上に設置されているため、その不純物による汚染濃度が高い冷却水が人に直接降りそそぐことになりかねない。
【０００７】
したがって、特にはセシウムのような不純物が冷却塔の冷却水中で濃縮するとなると、そのセシウムで既に汚染された地域のみならず、例えば、その汚染地域から数百ｋｍ以上離れた地域であったとしても問題となり得る。すなわち、その離れた地域の冷却塔において、大気拡散されたセシウムが徐々に濃縮され、該離れた地域の人々に悪影響を与えることになる可能性がある。
本発明者らはこれらの問題点を見出した。
【０００８】
そこで、上記問題点に鑑みてなされたものであって、熱交換機に用いられる冷却水中のセシウムが濃縮されて高濃度となるのを防ぐことができる冷却塔を提供することを目的とする。
【課題を解決するための手段】
【０００９】
上記目的を達成するために、本発明は、熱交換機に用いる冷却水を冷却するための冷却塔であって、冷却水が貯められた散水槽と、該散水槽から冷却水が散水されて通過する充填材と、該充填材を通過した冷却水を熱交換機へ送り、熱交換された冷却水を前記散水槽へ循環させるためのポンプと、外気を充填材へ送るためのファンとを具備しており、さらに、前記冷却水の中のセシウムを除去するためのセシウム除去フィルターを具備するものであることを特徴とする冷却塔を提供する。
【００１０】
このような本発明の冷却塔であれば、外気からセシウムが冷却塔内に取り込まれ、冷却水中に混入してきたとしても、セシウム除去フィルターによって、冷却水中のセシウムを除去することができるため、従来のように濃縮されて冷却水中のセシウム濃度が上昇するのを防ぐことができる。しかも、充填材に他の粉じん等とともにセシウムが蓄積されるのを効果的に防止することができる。このため、その高濃度に汚染された冷却水が人に降り注いで悪影響を及ぼすのを防ぐことができるし、交換後の使用済みの充填材の処理も簡便である。
【００１１】
このとき、前記セシウム除去フィルターは、前記散水槽内および／または前記充填材よりも下流側に配設されたものとすることができる。
このようなものであれば、効果的に、冷却水中のセシウムを除去することができる。
【００１２】
また、前記冷却塔は、前記充填材を通過する冷却水と前記充填材に送られる外気の流れが直交する直交流型のものであるか、または、前記冷却水と前記外気の流れが逆方向である向流型のものとすることができる。
これらの型は従来から用いられているタイプのものであり、本発明はいずれのタイプのものにも簡便に適用できる。
【００１３】
また、前記直交流型の冷却塔においては、前記充填材よりも下流側のセシウム除去フィルターは、前記ファンにより送られる外気の流れに対して充填材よりも下流側に配設されたものとすることができる。
または、前記向流型の冷却塔においては、前記充填材よりも下流側のセシウム除去フィルターは、前記充填材を通過する冷却水の流れに対して充填材よりも下流側に配設されたものとすることができる。
【００１４】
このようにセシウム除去フィルターを配設することで、効率良くセシウムを除去することが可能である。
【発明の効果】
【００１５】
以上のように、本発明の冷却塔によれば、冷却水中のセシウムを除去することができるため、冷却水において、セシウムが濃縮するのを容易に防ぐことができ、ひいては、そのセシウムが濃縮した冷却水によって、人に悪影響が及ぶのを大幅に抑制することができる。
【図面の簡単な説明】
【００１６】
【図１】本発明の直交流型冷却塔の一例を示す斜視図および説明図である。
【図２】本発明の向流型冷却塔の一例を示す斜視図および説明図である。
【発明を実施するための形態】
【００１７】
以下、本発明の冷却塔について、実施態様の一例として、図を参照しながら詳細に説明するが、本発明はこれに限定されるものではない。
図１に、本発明の冷却塔の一例を示す。図１（Ａ）が斜視図であり、図１（Ｂ）が構造を説明するための図である。
この冷却塔１は直交流型のものであり、まず、散水槽２、充填材３、ポンプ４、ファン５、ガラリ６、水槽７を備えている。
【００１８】
散水槽２内には、熱交換機９で熱交換されて温まった冷却水がポンプ４により送られて貯まっている。散水槽２の底には穴等が設けられており、散水槽２内に貯められた冷却水が該穴等から下方へ均一に散水可能になっている。もちろん、散水方法はこれに限定されず、既知のいずれの方法をも採用することができる。
【００１９】
散水槽２の下方には充填材３が配設されており、冷却水は充填材３に向かって散水されることになる。充填材３により冷却水中の粉じん等を除去することが可能である。
【００２０】
一方、ファン５によって、冷却塔１の側面に設けられたガラリ６を通して外気が冷却塔１内に取り込まれる。この外気は充填材３に対して側面側から送風されることになる。そして、充填材３の反対側から抜けていく。この外気により冷却水が冷却される。そして、取り込まれた外気はファン５を通して排気される。
【００２１】
充填材３を通過した冷却水は冷却塔１の下部に位置する水槽７内に貯められる。
そして、該水槽７内の冷却水はポンプ４により熱交換機９へと送られ、空調等のために用いられ、散水槽２へ循環される。
【００２２】
本発明の冷却塔１では、さらにセシウム除去フィルター８を備えている。このセシウム除去フィルター８は、例えば、プルシアンブルーを付加したものとすることができる。このプルシアンブルーとは、ミロリブルー、ベルリンブルー、アイアンブルー等、種々の慣用名がある顔料である。このプルシアンブルーを不織布等に担持させたフィルターを用いることができる。
これにより、セシウムを選択的に吸着し、冷却水中から除去することができる。このようなセシウム除去フィルター８としては、例えば、日本バイリーン株式会社等から市販されている。
【００２３】
このセシウム除去フィルター８は、散水槽２内に配設されている。散水槽２内への入り口や、散水槽２の底に配設できる。さらには、外気の流れに対して充填材３の下流側（ここでは、充填材３の、ガラリ６とは反対側の面）に配設することができる。このように配置することで冷却水中のセシウムを効果的に除去できる。
もちろん、セシウム除去フィルター８の配置方法はこれらに限定されず、冷却水からセシウムを除去できる態様であればいずれの配置でも良い。
図１では散水槽２の入り口や底と、充填材８の側面の両方にセシウム除去フィルター８を配置したが、いずれか一方のみに配置するようにしても良い。
【００２４】
以上のような冷却塔１であれば、外気からセシウムが冷却塔１内に取り込まれ、冷却水中に混入してきたとしても、セシウム除去フィルター８によって、冷却水中のセシウムを簡単に除去することができる。
したがって、従来のように濃縮されて冷却水中のセシウム濃度が上昇するのを防ぐことができる。
しかも、充填材３に他の粉じん等とともにセシウムが蓄積されるのを効果的に防止することができる。
【００２５】
このため、セシウムにより高濃度に汚染された冷却水が、ガラリ６やファン５あるいは外部への他の開口部を通して人に降り注いで悪影響を及ぼすのを防ぐことができる。
また、充填材３に捕捉された粉じんへのセシウムの付着を抑制することができ、交換後の使用済みの充填材３の処理等も簡便である。
【００２６】
また、セシウム等で汚染された地域にかかわらず、他の離れた地域でもセシウムが濃縮するのを防止することができ、該他の離れた地域の人に害を及ぼすことも抑制できる。
【００２７】
図２に、他の冷却塔の一例を示す。図２（Ａ）が斜視図であり、図２（Ｂ）が構造を説明するための図である。
この冷却塔１’は向流型のものである。ガラリ６からの外気は充填材３の下から上方へ向かって流れることになる。すなわち、充填材３を通過する冷却水の流れと逆方向である。
セシウム除去フィルター８は冷却水の流れに対して充填材３の下流側、すなわち、充填材３と水槽７との間に設けられている。
これら以外は、図１の冷却塔１と同様の構成とすることができる。
【００２８】
このような向流型の冷却塔１’によっても、同様に、どのような地域であっても、冷却水中のセシウム濃度の上昇を防止でき、また、充填材３へセシウムが蓄積されるのを防止できる。
また、冷却水により、人が放射性汚染を受けるのを防止できる。
【００２９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００３０】
１…本発明の直交流型冷却塔、
１’…本発明の向流型の冷却塔、  ２…散水槽、  ３…充填材、
４…ポンプ、  ５…ファン、  ６…ガラリ、  ７…水槽、  
８…セシウム除去フィルター、  ９…熱交換機。
【図１】
2013181677.tif 000003
【図２】
2013181677.tif 000004